(57)【要約】【課題】低コストで商品を際立つように陳列することができる商品陳列具を提供する。【解決手段】  本考案は、軸部９Ａの先端部に円錐状に形成された円錐部９Ｂを有する筆記具９（商品）を陳列する商品陳列具１０であって、板状に形成されているベース部１１と、ベース部１１から下方に向かって円錐部９Ｂに対応した円錐状に凹み、筆記具９の円錐部９Ｂを差し込んだ状態で円錐部９Ｂの外周面に密着して筆記具９を支持する支持凹部１２と、を備えている。【選択図】図４
0003215646.tif 000002
【実用新案登録請求の範囲】
【請求項１】
軸部（９Ａ，９Ａ´）の先端部に円錐状に形成された円錐部（９Ｂ，９Ｂ´）を有する商品（９，９´）を陳列する商品陳列具（１０）であって、
板状に形成されているベース部（１１）と、
前記ベース部から下方に向かって前記円錐部に対応した円錐状に凹み、前記商品の前記円錐部を差し込んだ状態で前記円錐部の外周面に密着して前記商品を支持する支持凹部（１２）と、を備えていることを特徴とする商品陳列具。
【請求項２】
前記商品は、前記円錐部の先端から突き出すペン先を有する筆記具であり、
前記支持凹部は、
前記円錐部の外周面に密着する密着面（Ｓ）を有する凹部本体（１３）と、
前記凹部本体の下端部から下方に向かって凹み、前記凹部本体に支持された前記商品の前記円錐部から突き出した前記ペン先を収容する先端収容部（１４）と、を含んでいることを特徴とする請求項１に記載の商品陳列具。
【請求項３】
前記ベース部および前記支持凹部は、真空成形可能な合成樹脂材料によって形成され、
複数の前記支持凹部は、前後方向および左右方向に並ぶように形成されていることを特徴とする請求項１または２に記載の商品陳列具。
【請求項４】
前記複数の支持凹部は、前記ベース部に対し、同一方向、同一角度で斜め下方に向かって凹む状態に形成されていることを特徴とする請求項３に記載の商品陳列具。
【請求項５】
請求項１ないし４のいずれかに記載の商品陳列具（１０）を備えていることを特徴とする商品陳列台。
【考案の詳細な説明】
【技術分野】
【０００１】
本考案は、商品を陳列するための商品陳列具および商品陳列台に関する。
【背景技術】
【０００２】
スティック状に形成された商品を起立姿勢に保持しつつ陳列する商品陳列具が知られている。
【０００３】
例えば、特許文献１には、ケース本体の上面に、筆記具（の軸筒の太さ）に応じて選択されるスペーサを着脱交換可能に装着した筆記具用陳列具が開示されている。この筆記具用陳列具は、筆記具を孔に挿入して販売のために陳列するものである。具体的には、スペーサには筆記具の軸筒外周に倣う複数の筆記具挿入孔が形成され、ケース本体には複数の筆記具挿入孔と連通する複数の連通孔が形成されている。連通孔は、ストレート状に形成されたスペーサ装着筒部と、スペーサ装着筒部の下端からテーパー状に延びた先窄み筒部と、先窄み筒部の下端から下方に延びて筆記具の筆記先端部を貫通可能に形成した筆記先端部貫通筒部と、を有している。先窄み筒部と筆記先端部貫通筒部との接続部分（角部分）には、挿入される筆記具の筆記先端部側に当接することで筆記先端部をケース本体の外に貫通させないようにする当接部が形成されている。
【先行技術文献】
【特許文献】
【０００４】
【特許文献１】特開２００４−１３０６２６号公報
【考案の概要】
【考案が解決しようとする課題】
【０００５】
しかしながら、上記した筆記具用陳列具では、２つの部品（ケース本体、スペーサ）が必要であり、２つの部品に異なる２種類の孔（連通孔、筆記具挿入孔）を形成しなければならなかった。２つの部品の製造には別々の型が必要になるため、製造コストが増加するという問題があった。
【０００６】
また、上記した筆記具用陳列具では、筆記具の筆記先端部側がケース本体の連通孔の当接部（角部分）に当接し、筆記具の軸筒がスペーサの筆記具挿入孔に支持されていた。すなわち、この筆記具用陳列具では、筆記具の筆記先端部から軸部に亘って隠れてしまう範囲が大きいため、人目を引くように筆記具を陳列することができなかった。この問題はスペーサを省略してケース本体のみで筆記具の陳列を行うことができれば解決できる。しかしながら、ケース本体の連通孔（スペーサ装着筒部）はスペーサの筆記具挿入孔よりも大径に形成され、当接部は筆記具の筆記先端部側に点で接触しているため、ケース本体の連通孔だけで筆記具を支持することはできなかった。
【０００７】
本考案は、上記課題を解決するために、低コストで商品を際立つように陳列することができる商品陳列具および商品陳列台を提供する。
【課題を解決するための手段】
【０００８】
上記した目的を達成するため、本考案は、軸部の先端部に円錐状に形成された円錐部を有する商品を陳列する商品陳列具であって、板状に形成されているベース部と、前記ベース部から下方に向かって前記円錐部に対応した円錐状に凹み、前記商品の前記円錐部を差し込んだ状態で前記円錐部の外周面に密着して前記商品を支持する支持凹部と、を備えている。
【０００９】
この場合、前記商品は、前記円錐部の先端から突き出すペン先を有する筆記具であり、前記支持凹部は、前記円錐部の外周面に密着する密着面を有する凹部本体と、前記凹部本体の下端部から下方に向かって凹み、前記凹部本体に支持された前記商品の前記円錐部から突き出した前記ペン先を収容する先端収容部と、を含んでいることが好ましい。
【００１０】
この場合、前記ベース部および前記支持凹部は、真空成形可能な合成樹脂材料によって形成され、複数の前記支持凹部は、前後方向および左右方向に並ぶように形成されていることが好ましい。
【００１１】
この場合、前記複数の支持凹部は、前記ベース部に対し、同一方向、同一角度で斜め下方に向かって凹む状態に形成されていることが好ましい。
【００１２】
上記した目的を達成するため、本考案に係る商品陳列台は、上記のいずれかに記載の商品陳列具を備えている。
【考案の効果】
【００１３】
本考案によれば、低コストで商品を際立つように陳列することができる。
【図面の簡単な説明】
【００１４】
【図１】本考案の一実施形態に係る商品陳列台を示す斜視図である。
【図２】本考案の一実施形態に係る商品陳列具を示す平面図である。
【図３】本考案の一実施形態に係る商品陳列具や筆記具を示す側面図である。
【図４】本考案の一実施形態に係る商品陳列具に筆記具を支持させた状態を示す断面図である。
【図５】本考案の一実施形態に係る商品陳列具に他の筆記具を支持させた状態を示す断面図である。
【考案を実施するための形態】
【００１５】
以下、添付の図面を参照しつつ、本考案の実施形態について説明する。なお、図面に示す「Ｆｒ」は「前」を示し、「Ｒｒ」は「後」を示し、「Ｌ」は「左」を示し、「Ｒ」は「右」を示し、「Ｕ」は「上」を示し、「Ｄ」は「下」を示している。前後方向は、左右方向に直交（交差）し、上下方向は前後方向と左右方向とに直交（交差）している。本明細書では方向や位置を示す用語を用いるが、それらの用語は説明の便宜のために用いるものであって、本考案の技術的範囲を限定するものではない。
【００１６】
［商品陳列台］
図１を参照して、本実施形態に係る商品陳列台１について説明する。図１は商品陳列台１を示す斜視図である。
【００１７】
商品陳列台１は、複数の筆記具９を陳列した状態で店頭に設置されるものである。商品陳列台１は、所定の間隔で配列させた複数の筆記具９を起立姿勢で支持する。複数の筆記具９は間隔をあけて立てられるため、隣り合う筆記具９同士が接触して傷付くことを防止することができると共に、顧客は陳列された筆記具９の形状を明確に目視することができる。
【００１８】
本実施形態では、商品の一例としての筆記具９はノック式のボールペンである。筆記具９は、略円筒状に形成された軸部９Ａと、軸部９Ａの先端部に略円錐状に形成された円錐部９Ｂと、を有している。また、筆記具９は、円錐部９Ｂの先端から突き出すペン先９Ｃ（チップ）を有している。
【００１９】
軸部９Ａは、上下方向（軸方向）の略全域に亘って略同一の直径に形成されている。軸部９Ａの上端部には、押す度にペン先９Ｃを出没させるノック部９Ｄが設けられている。円錐部９Ｂは、上部から下部に向かって直径を次第に減少させるテーパー状に形成された部分である。円錐部９Ｂの先端面にはペン先９Ｃを出没させる穴（図示せず）が形成されているため、円錐部９Ｂは、厳密な意味での円錐状ではなく、略円錐台状に形成されている。詳細には、円錐部９Ｂは、上端から下端に向かって窄まるドーム状に形成されている。換言すれば、円錐部９Ｂは、側面から見て上端から下端に向かって外側に膨らむように湾曲しながら窄まる輪郭を有している。また、円錐部９Ｂの軸方向の長さは、例えば、１５〜２５ｍｍ程度に設定されている。
【００２０】
商品陳列台１は、背面パネル２と、カウンタ下部３と、カウンタ上部４と、を含んでいる。背面パネル２は、例えば、板紙を貼り合わせた合紙によって上下方向に長い略長方形状に形成されている。カウンタ下部３は、例えば、板紙のブランクを折り曲げて六面体状に組み立てられる。カウンタ上部４は、例えば、板紙のブランクを折り曲げて六面体状に組み立てられる。
【００２１】
カウンタ下部３は、背面パネル２の下部に接続され、背面パネル２から前方に向かって徐々に低くなる六面体状に形成されている。カウンタ下部３の底面板３Ａは、カウンタ下部３の前面から前方に向かって延設されている。カウンタ上部４は、カウンタ下部３の上部と背面パネル２とに接続され、背面パネル２から前方に向かって徐々に低くなる六面体状に形成されている。カウンタ上部４の天面板４Ａは、後部（背面パネル２の側）から前部に向かって下方に傾斜している。なお、天面板４Ａの左右両側には、ボールペンの替え芯等を入れるための一対のレフィル箱４Ｂが設けられている。
【００２２】
天面板４Ａには、筆記具９を差し込むための複数（例えば８０個）の貫通孔５（丸孔）が開口している。詳細には、複数の貫通孔５は、天面板４Ａの左右方向中央部を除く左右両側の領域（以下、「孔形成領域」ともいう。）に４０個ずつ形成されている。４０個の貫通孔５は、左右方向に略等間隔に４個並べられ、前後方向に略等間隔に１０個並べられている。つまり、複数の貫通孔５は、格子状に配列されている。
【００２３】
また、カウンタ上部４の内部には、貫通孔５に差し込まれた筆記具９を支持して陳列するための商品陳列具１０が設けられている（図１の破線参照）。上記した天面板４Ａは、商品陳列具１０（後述するベース部１１）の上面に載置（または貼付）されている。つまり、商品陳列具１０は、天面板４Ａの直下に配置されている。
【００２４】
［商品陳列具］
次に、図２ないし図４を参照して、商品陳列具１０について説明する。図２は商品陳列具１０を示す平面図である。図３は商品陳列具１０や筆記具９を示す側面図である。図４は商品陳列具１０に筆記具９を支持させた状態を示す断面図である。
【００２５】
図２に示すように、商品陳列具１０は、平面から見て、やや前後方向に長い長方形状に形成されている。商品陳列具１０は、ベース部１１と、複数（例えば８０個）の支持凹部１２と、を備えている。ベース部１１は、平板状に形成されている。複数の支持凹部１２は、ベース部１１の左右方向中央部を除く左右両側の領域（以下、「商品支持領域」ともいう。）に４０個ずつ形成されている。つまり、複数の支持凹部１２は、カウンタ上部４の複数の貫通孔５に連通するように配置されている。
【００２６】
商品陳列具１０（ベース部１１および支持凹部１２）は、真空成形可能な合成樹脂材料によって一体に形成されている。商品陳列具１０は、１枚の矩形状のシートを真空成型装置（図示せず）によって加工することで製造される（真空成型法（バキューム成形法））。シートは、無色（透明）で、０．５ｍｍ程度の厚みを有する合成樹脂製である。詳細には、シートは、ポリプロピレン、ポリエチレンテレフタレート、塩化ビニール、ポリスチロール、ポリカーボネート、ポリエチレン等の合成樹脂で形成されている。真空成型装置は、支持凹部１２に相補関係となる複数の略円錐状の突起を有する金型を備えている（図示せず）。真空成型装置は、クランプされたシートを加熱して軟化させながらシートと金型の間にある空気を吸引し、シートを金型に密着させる。金型に密着したシートが冷却された後に金型から外されることで商品陳列具１０となる。
【００２７】
＜ベース部＞
図２に示すように、ベース部１１は、シートを加工した後に残った平板部分である。詳細には、ベース部１１は、左右一対の商品支持領域の間を繋ぐように形成された平板部分と、商品支持領域から外側に向かって延びてフランジ状に形成された平板部分と、前後・左右に隣り合う４つの支持凹部１２に囲まれた平板部分と、を含んでいる。
【００２８】
＜支持凹部＞
図２および図３に示すように、複数の支持凹部１２は、ベース部１１から下方に向かって円錐部９Ｂに対応した円錐状に凹んだ状態に形成されている。また、複数の支持凹部１２は、ベース部１１に対し、同一方向、同一角度で斜め下方に向かって凹む状態に形成されている。各々の商品支持領域において、４０個の支持凹部１２は、左右方向に略等間隔に４個並べられ、前後方向に略等間隔に１０個並べられている。つまり、複数の支持凹部１２は、格子状に配列されている。また、前後方向に隣接する支持凹部１２の間の最短距離（Ｄ１）は約７ｍｍに設定され、左右方向に隣接する支持凹部１２の間の最短距離（Ｄ２）は約８ｍｍに設定されている。なお、各々の支持凹部１２は、略同一形状であるため、以下の説明では、主に１つの支持凹部１２について説明する。
【００２９】
支持凹部１２は、凹部本体１３と、先端収容部１４と、を含んでいる。凹部本体１３と先端収容部１４とは、一体となって１つの段付きの窪みを構成している。
【００３０】
凹部本体１３は、筆記具９の円錐部９Ｂと相補関係となる略円錐状（略円錐台状）の窪みである。すなわち、凹部本体１３は、側面から見て上端から下端にかけて外側に膨らむように湾曲しながら窄まる輪郭を有している（図３参照）。凹部本体１３の最大開口径（直径）は１２〜１３ｍｍ程度に設定され、凹部本体１３の軸心部分の深さ（ベース部１１から凹部本体１３の最深部までの距離）は２０ｍｍ程度に設定されている。また、凹部本体１３は、水平姿勢としたベース部１１から斜め前下方に向かって膨らむように突き出している。具体的には、凹部本体１３の軸心線（図３の破線参照）は、ベース部１１に直交する垂直線（Ｖ）に対して約２０度の角度で傾斜している。
【００３１】
図３および図４に示すように、凹部本体１３は、筆記具９の円錐部９Ｂを差し込んだ状態において円錐部９Ｂの外周面に密着する密着面Ｓを有している。密着面Ｓは、側面から見て上部から下部に向かって外側に膨らむように湾曲しながら窄まる輪郭を有し（図４の断面図参照）、平面から見て略円環を成す帯状に形成されている（図４の矢視Ｚ参照）。密着面Ｓは、凹部本体１３の内面下部にてペン先９Ｃを出没させる穴を除く円錐部９Ｂの下部に面接触するように形成されている。
【００３２】
先端収容部１４は、凹部本体１３の最下端部から下方に向かって凹んでいる。また、先端収容部１４は、凹部本体１３と同一軸上にて、凹部本体１３に連通する有底の略円筒状に形成されている。つまり、先端収容部１４は、凹部本体１３と同一方向、同一角度で斜めに膨らむように突き出している。先端収容部１４は、ペン先９Ｃよりも大きな空間を構成している。詳細には、先端収容部１４の直径は３〜４ｍｍ程度に設定され、先端収容部１４の軸心部分の深さ（凹部本体１３との接続部から先端収容部１４の最深部までの距離）は４〜５ｍｍ程度に設定されている。この先端収容部１４は、凹部本体１３に支持された筆記具９の円錐部９Ｂから突き出したペン先９Ｃを収容する機能を有している。つまり、先端収容部１４は筆記具９のペン先９Ｃを遊嵌させるようになっている。
【００３３】
また、図２および図３に示すように、商品陳列具１０には、複数の第１連結溝１５と複数の第２連結溝１６とが形成されている。第１連結溝１５は、前後方向に隣接する支持凹部１２の間でベース部１１から凹む状態に形成されている。第１連結溝１５は、前後に並んだ２つの支持凹部１２を連通させるように延びている。第１連結溝１５は、ベース部１１から密着面Ｓの上端近傍まで窪んでいる。第１連結溝１５の溝幅は、先端収容部１４の直径と略同一に設定されている。第２連結溝１６は、左右方向に隣接する支持凹部１２の間でベース部１１から凹む状態に形成されている。第２連結溝１６は、左右に並んだ２つの支持凹部１２を連通させるように延びている。第２連結溝１６の深さや溝幅は、第１連結溝１５と略同一に設定されている。
【００３４】
［商品陳列具の作用］
次に、図４を参照して、商品陳列具１０の作用について説明する。なお、以下の説明では、１本の筆記具９を１つの支持凹部１２に差し込んで支持させる場合について説明する。また、筆記具９のペン先９Ｃは、円錐部９Ｂの内部に埋没した状態であるものとする。
【００３５】
まず、作業者は、筆記具９の円錐部９Ｂを、商品陳列台１の天面板４Ａに開口した貫通孔５（図１参照）から支持凹部１２に差し込む。詳細には、作業者は、円錐部９Ｂとこれに連なる軸部９Ａの先端部とを支持凹部１２の凹部本体１３に埋没させる。凹部本体１３は筆記具９の円錐部９Ｂと相補関係となる凹みであるため、円錐部９Ｂは前後方向および左右方向の移動を規制された状態で凹部本体１３に嵌合する。また、円錐部９Ｂの下部の外周面（ペン先９Ｃを出没させる穴を除く）は、筆記具９の自重によって凹部本体１３の密着面Ｓに沿うように接触（密着）する。この状態で、筆記具９は、支持凹部１２（凹部本体１３）に起立した姿勢で支持される。
【００３６】
以上と同様の手順で複数の筆記具９を複数の支持凹部１２に立てることができ、商品陳列台１（商品陳列具１０）に複数の筆記具９を略同じ姿勢で陳列することができる。商品陳列台１は、複数の筆記具９を陳列した状態で店頭に展示される。また、筆記具９は自重で凹部本体１３の密着面Ｓに接触しているため、顧客は凹部本体１３から筆記具９を容易に引き抜くことができる。
【００３７】
ところで、店頭では、顧客が、筆記具９の試し書き等を行うために商品陳列台１から筆記具９を取り出した（引き抜いた）後、ペン先９Ｃを突出させた状態で筆記具９を商品陳列台１に戻すことがある。このような場合であっても、本実施形態に係る商品陳列具１０は、支持凹部１２とペン先９Ｃとの干渉を防止する構成になっている。
【００３８】
図４の二点鎖線で示すように、ペン先９Ｃが円錐部９Ｂから突出した状態で筆記具９が支持凹部１２に差し込まれると、ペン先９Ｃは、凹部本体１３から下方に延びた先端収容部１４に進入する。先端収容部１４はペン先９Ｃよりも大きく形成されているため、ペン先９Ｃは先端収容部１４の内周面との間に僅かな隙間をあけた状態で配置される。これにより、支持凹部１２とペン先９Ｃとの干渉を防止することができる。
【００３９】
以上説明した本実施形態に係る商品陳列具１０が１つの部品で構成されるため、筆記具９の軸部９Ａと円錐部９Ｂとを別々に支持する２つの部品を製造する場合に比べて、商品陳列具１０の製造コストを低減することができる。
【００４０】
また、仮に、筆記具９の軸部９Ａと円錐部９Ｂとを別々に支持する２つの部品を製造する場合、軸部９Ａを支持する上部品が円錐部９Ｂを支持する下部品の上部に配置されることになる。この場合、筆記具９の円滑な差し込みを担保するために、下部品の孔（円錐部９Ｂ用の孔）は、上部品の孔（軸部９Ａ用の孔）よりも大径に形成しなければならない。したがって、軸部９Ａ用の孔の間隔は円錐部９Ｂ用の孔の間隔に合わせて広く設定されるため、各々の孔の間隔を狭く（密に）することができず、筆記具９の陳列数を増加させることが困難であった。その点、本実施形態に係る商品陳列具１０は、真空成型法によって１つの部品で構成されるため、隣接する支持凹部１２の間の最短距離（Ｄ１，Ｄ２）を短く（狭く）することができる。これにより、凹部本体１３の形成数を増加させることができ、筆記具９の陳列数を増加させることができる。
【００４１】
本実施形態に係る商品陳列具１０（商品陳列台１）では、支持凹部１２が筆記具９の円錐部９Ｂを差し込んだ状態で円錐部９Ｂの外周面に密着して筆記具９を起立姿勢で支持する構成とした。この構成によれば、筆記具９は円錐部９Ｂを支持凹部１２に嵌合させた状態で起立した姿勢を保持されるため、筆記具９の軸部９Ａの略全体を商品陳列具１０から露出させることができる。これにより、人目を引くように筆記具９を陳列することができる。以上のように、この商品陳列具１０によれば低コストで筆記具９を際立つように陳列することができる。
【００４２】
ここで、図５に示すように、仮に、商品陳列具１０に支持させる筆記具９´（軸部９Ａ´、円錐部９Ｂ´）が、筆記具９（軸部９Ａ、円錐部９Ｂ）よりも細い場合について考える。この場合、筆記具９´の円錐部９Ｂ´は、円錐部９Ｂと略相似となる形状であるため、支持凹部１２の密着面Ｓの一部（下部）に密着した状態で支持されることになる。この商品陳列具１０によれば、円錐部９Ｂ，９Ｂ´が密着面Ｓに密着する形状であれば、太さに違いがある筆記具９，９´を起立姿勢で保持することができる。
【００４３】
また、本実施形態に係る商品陳列具１０では、筆記具９の円錐部９Ｂ（筆記具９´の円錐部９Ｂ´を含む。以下同じ。）が密着面Ｓに密着した状態で、筆記具９のペン先９Ｃが先端収容部１４の内部に配置される構成とした。この構成によれば、ペン先９Ｃが先端収容部１４の内面に接触しないように筆記具９を保持することができるため、ペン先９Ｃを保護することができる。また、仮に、ペン先９Ｃからインクが漏れ出したとしても、そのインクを先端収容部１４に溜めることができるため、筆記具９の円錐部９Ｂがインクで汚れる等の問題を抑制することができる。
【００４４】
また、本実施形態に係る商品陳列具１０は、合成樹脂製の１枚のシートから真空成型法によって成型されていた。この構成によれば、商品陳列具１０を低コストで製造することができる。また、この商品陳列具１０では、複数の支持凹部１２が前後方向および左右方向に並ぶように形成されていた。この構成によれば、多くの筆記具９を整列させた状態で展示することができるため、顧客は１本１本の筆記具９を明確に目視することができる。また、筆記具９同士が接触して傷付くことを予防することができる。
【００４５】
また、本実施形態に係る商品陳列具１０では、複数の支持凹部１２が水平姿勢としたベース部１１から斜め下方に延びていた。このため、各支持凹部１２が略垂直となるように商品陳列具１０を傾斜させた姿勢で商品陳列台１に内設すると、複数の支持凹部１２が階段状（雛壇状）に配置されることになる。この構成によれば、複数の支持凹部１２に差し込まれて支持された複数の筆記具９も階段状に配置することができる。これにより、顧客が商品陳列具１０に支持された複数の筆記具９を見渡すことができるため、筆記具９（商品）の販売促進を図ることができる。また、商品陳列具１０を傾斜姿勢とすることで商品陳列台１の平面積（投影面積）を少なくすることができるため、店頭での商品陳列台１の設置面積を小さく抑えることができる。
【００４６】
なお、本実施形態に係る商品陳列具１０では、合計８０個の支持凹部１２が形成されていたが、本考案はこれに限定されない。支持凹部１２は、少なくとも１つ以上形成されていればよい。
【００４７】
また、本実施形態に係る商品陳列具１０では、隣接する支持凹部１２の間の最短距離（Ｄ１，Ｄ２）が７〜８ｍｍに設定されていたが、本考案はこれに限定されない。商品陳列具１０の大きさや陳列する筆記具９の数等に応じて、隣接する支持凹部１２の間の最短距離（Ｄ１，Ｄ２）を増減してもよい。例えば、この最短距離（Ｄ１，Ｄ２）を略０ｍｍに設定してもよい。しかしながら、隣り合う筆記具９同士が接触して傷付くことを防止すること、顧客に対して陳列された筆記具９の形状を明確に提示すること等の効果を期待する場合には、隣接する支持凹部１２の間に隙間（最短距離（Ｄ１，Ｄ２）＝１ｍｍ以上）を設けることが好ましい。
【００４８】
また、本実施形態に係る商品陳列具１０では、凹部本体１３の最大開口径が１２〜１３ｍｍ程度に設定され、凹部本体１３の軸心部分の深さが約２０ｍｍに設定されていたが、本考案はこれに限定されない。凹部本体１３の最大開口径は、筆記具９の円錐部９Ｂを差し込むことができる直径であればよい。また、凹部本体１３の軸心部分の深さは、筆記具９の円錐部９Ｂを埋没させることのできる深さであればよく、例えば１５〜２５ｍｍ程度の範囲で設定することができる。なお、筆記具９を確りと保持することを考慮した場合、凹部本体１３は、筆記具９の先端（ペン先９Ｃを除く）から２５ｍｍ前後を支持することが好ましい。
【００４９】
また、本実施形態に係る商品陳列具１０では、支持凹部１２がベース部１１の垂直線（Ｖ）に対して約２０度傾斜していたが、本考案はこれに限定されない。例えば、支持凹部１２は、ベース部１１に対して略直交する方向（鉛直下方）に延びていてもよい。支持凹部１２は、ベース部１１の垂直線（Ｖ）に対して０度以上４５度以下の範囲で傾斜していればよい。
【００５０】
また、本実施形態に係る商品陳列具１０では、先端収容部１４の直径が３〜４ｍｍ程度に設定され、先端収容部１４の軸心部分の深さが４〜５ｍｍ程度に設定されていたが、本考案はこれに限定されない。先端収容部１４の直径や深さは、筆記具９のペン先９Ｃを遊嵌させることができるように設定されていればよい。
【００５１】
また、本実施形態に係る商品陳列具１０は、無色（透明）の合成樹脂製のシートから成形されていたが、本考案はこれに限定されない。例えば、商品陳列具１０（シート）は、着色されていてもよい。
【００５２】
また、本実施形態では、商品の一例としての筆記具９がノック式のボールペンであったが、本考案はこれに限定されない。筆記具９は、回転式ボールペンや鉛筆であってもよい。また、筆記具９は、替え芯を選択して交換可能なボールペンであってもよい。この場合、替え芯（ペン先９Ｃ）を取り外した状態でボールペンの筐体のみを陳列することになるため、商品陳列具１０の支持凹部１２から先端収容部１４を省略してもよい。さらに、商品は、筆記具９に限らず、先端部に円錐部９Ｂを有したスティック状の物品であればよく、例えば、口紅やアイライナー等の化粧品であってもよい。この場合も、先端収容部１４が不要なのであれば、これを省略してもよい。
【００５３】
また、本実施形態では、筆記具９の円錐部９Ｂが上端から下端に向かって窄まるドーム状に形成されていたが、これに限らず、上端から下端にかけて直線的に窄まる輪郭を有する円錐状（または円錐台状）に形成されてもよい（図示せず）。
【００５４】
なお、上記実施形態の説明は、本考案に係る商品陳列具および商品陳列台の一態様を示すものであって、本考案の技術範囲は、上記実施形態に限定されるものではない。
【符号の説明】
【００５５】
１            商品陳列台
９，９´      筆記具（商品）
９Ａ，９Ａ´  軸部
９Ｂ，９Ｂ´  円錐部
１０          商品陳列具
１１          ベース部
１２          支持凹部
１３          凹部本体
１４          先端収容部
Ｓ            密着面
【図１】
0003215646.tif 000003
【図２】
0003215646.tif 000004
【図３】
0003215646.tif 000005
【図４】
0003215646.tif 000006
【図５】
0003215646.tif 000007